(57)【要約】【課題】コントローラーが塵埃や雨水にさらされにくくできるシャッターを提供すること。【解決手段】シャッター１は、枠体１０と、枠体１０に取り付けられたシャッター装置２０とを備える。シャッター装置２０は、シャッターカーテン２１、シャッター巻取軸２２、チューブラモーター、コントローラー２３およびシャッターケース２５を備える。コントローラー２３は、シャッター巻取軸２２の軸心Ｃよりも上方側であってシャッターケース２５のケース裏板２５１側に配置されている。【選択図】図３
2018138754.tif 000002
【特許請求の範囲】
【請求項１】
枠体と、前記枠体に取り付けられたシャッター装置とを備え、
前記シャッター装置は、シャッターカーテンと、前記シャッターカーテンを巻取りおよび繰出し可能なシャッター巻取軸と、前記シャッター巻取軸を駆動するモーターと、前記モーターの駆動を制御するコントローラーと、前記枠体に取り付けられたシャッターケースとを備え、
前記シャッターケースは、前記シャッター巻取軸を回転可能に支持する一対のケース側板と、前記一対のケース側板が固定されたケース裏板とを備え、
前記コントローラーは、前記シャッター巻取軸の軸心よりも上方側であって前記ケース裏板側に配置されている
ことを特徴とするシャッター。
【請求項２】
請求項１に記載のシャッターにおいて、
前記枠体は、天板を備え、
前記コントローラーには、当該コントローラーもしくは前記モーターの状態を表示する表示部が配置され、
前記表示部は、前記天板と巻取状態における前記シャッターカーテンの周面位置との間から視認可能な位置に配置されている
ことを特徴とするシャッター。
【請求項３】
請求項１に記載のシャッターにおいて、
前記枠体は、天板を備え、
前記天板と巻取状態における前記シャッターカーテンの周面位置との間の前記シャッター巻取軸の径方向における最小寸法は、前記コントローラーの高さ寸法よりも大きい
ことを特徴とするシャッター。
【請求項４】
請求項１から請求項３のいずれか一項に記載のシャッターにおいて、
前記コントローラーには樹脂製部分があり、
前記シャッターケースには、前記コントローラーよりも下方に配置されたコントローラー受け部材が取り付けられている
ことを特徴とするシャッター。
【請求項５】
請求項４に記載のシャッターにおいて、
前記コントローラー受け部材は、
前記コントローラーが取り付けられた取付本体部と、
前記取付本体部から室外側に突出した受け片部とを有し、
前記受け片部は、前記取付本体部に取り付けられた前記コントローラーよりも下方に配置されている
ことを特徴とするシャッター。
【請求項６】
請求項５に記載のシャッターにおいて、
前記受け片部は、前記取付本体部から室外側に向かうに連れて上方に傾斜している
ことを特徴とするシャッター。
【請求項７】
請求項１から請求項６のいずれか一項に記載のシャッターにおいて、
前記ケース裏板の上縁部には室外側に突出した裏板上片部が形成され、
前記裏板上片部には切欠き部が形成され、
前記切欠き部には、前記コントローラーが配置されている
ことを特徴とするシャッター。
【請求項８】
請求項７に記載のシャッターにおいて、
前記シャッターケースには、前記切欠き部の前記シャッターケースの長手方向における一端側から他端側までにわたって配置された取付部材が取り付けられ、
前記取付部材には、前記コントローラーが取り付けられている
ことを特徴とするシャッター。
【発明の詳細な説明】
【技術分野】
【０００１】
本発明は、建物躯体に取り付けられた窓等の開口部を遮蔽可能なシャッターに関する。
【背景技術】
【０００２】
従来、シャッターとして、シャッターカーテンが繰出し可能に巻き付けられた巻付軸と、巻付軸に収容されたモーターと、シャッターカーテンを昇降させるためにモーターを制御するコントローラーとを備えた電動シャッターが知られている（特許文献１参照）。この電動シャッターでは、巻付軸およびコントローラーは、箱状のフレーム（シャッターケース）内に収容されている。フレームの下部側には、シャッターカーテンが挿通された挿通口がある。
コントローラーは、巻付軸の軸方向において巻き上げられたシャッターカーテンの側方において巻付軸の周囲に巻かれるようにフレームの側板に沿って配置されており、このように配置されることで、コントローラーが巻付軸に収容される場合と比べ、メンテナンス等におけるコントローラーの着脱を簡単に行えるようになっている。
【先行技術文献】
【特許文献】
【０００３】
【特許文献１】特許第５０６９７０８号公報
【発明の概要】
【発明が解決しようとする課題】
【０００４】
ところで、特許文献１に記載の電動シャッターでは、コントローラーが巻付軸の軸方向において巻き上げられたシャッターカーテンの側方において巻付軸の周囲に巻かれるようにフレームの側板に沿って配置されているため、コントローラーのコネクタ部分などがフレームの下部側の挿通口に近い位置に配置されることがあり、この場合には、前記挿通口からフレーム内に入り込む塵埃や雨水にさらされやすい。このため、コントローラーは防塵・防水仕様のものが必要とされる。
【０００５】
本発明の目的は、コントローラーが塵埃や雨水にさらされにくくできるシャッターを提供することにある。
【課題を解決するための手段】
【０００６】
本発明のシャッターは、枠体と、前記枠体に取り付けられたシャッター装置とを備え、前記シャッター装置は、シャッターカーテンと、前記シャッターカーテンを巻取りおよび繰出し可能なシャッター巻取軸と、前記シャッター巻取軸を駆動するモーターと、前記モーターの駆動を制御するコントローラーと、前記枠体に取り付けられたシャッターケースとを備え、前記シャッターケースは、前記シャッター巻取軸を回転可能に支持する一対のケース側板と、前記一対のケース側板が固定されたケース裏板とを備え、前記コントローラーは、前記シャッター巻取軸の軸心よりも上方側であって前記ケース裏板側に配置されていることを特徴とする。
【０００７】
本発明のシャッターによれば、例えばコントローラーがシャッター巻取軸の軸方向において巻き上げられたシャッターカーテンの側方においてシャッター巻取軸の周囲に巻かれるようにフレームの側板に沿って配置される場合であってコントローラーのコネクタ部分などがシャッター巻取軸の軸心よりも下方に配置される場合と比べて、塵埃や雨水が入り込みやすいシャッターケース下方の挿通口よりも上方に離れた位置にコントローラーが配置されるので、コントローラーを塵埃や雨水にさらされにくい位置に配置できる。このため、防塵・防水に対して高い性能を必要としないコントローラーを採用し得る。
また、コントローラーがシャッター巻取軸の軸心よりもケース裏板側に配置されているので、シャッターが固定される建物躯体とシャッター巻取軸との間の空きスペースをコントローラーの設置箇所として有効活用できる。建物躯体とシャッター巻取軸との間の空きスペースは、例えばコントローラーがシャッター巻取軸の内部に配置されるシャッターにおいても存在するスペースであるので、コントローラーの設置箇所を形成するためにシャッターケースを大型化する必要がなく、既存のシャッターケースを用いて本発明を構成できる。
【０００８】
本発明のシャッターでは、前記枠体は、天板を備え、前記コントローラーには、当該コントローラーもしくは前記モーターの状態を表示する表示部が配置され、前記表示部は、前記天板と巻取状態における前記シャッターカーテンの周面位置との間から視認可能な位置に配置されていることが好ましい。
このような構成によれば、シャッターカーテンがシャッター巻取軸に巻き取られた状態で当該シャッターカーテンと天板との間の間隔が小さくなっていても、シャッターカーテン、シャッター巻取軸や天板を取り外すことなく、点検板を取り外すだけで表示部を室外側から視認でき、コントローラーやモーターの状態を確認できる。
【０００９】
本発明のシャッターでは、前記枠体は、天板を備え、前記天板と巻取状態における前記シャッターカーテンの周面位置との間の前記シャッター巻取軸の径方向における最小寸法は、前記コントローラーの高さ寸法よりも大きいことが好ましい。
このような構成によれば、シャッターカーテン、シャッター巻取軸や天板を取り外すことなく、コントローラーを天板とシャッターカーテンとの間から抜き出すことができ、コントローラーのメンテナンスや交換作業を簡単に行うことができる。具体的には、先ず点検板を取り外し、次にコントローラーを天板とシャッターカーテンとの間から抜き出すことができる。
【００１０】
本発明のシャッターでは、前記コントローラーには樹脂製部分があり、前記シャッターケースには、前記コントローラーよりも下方に配置されたコントローラー受け部材が取り付けられていることが好ましい。
このような構成によれば、火災時にコントローラーの樹脂製部分が溶融し、コントローラーがシャッターケースから外れて落下しても、コントローラー受け部材によって受け止められる。このため、コントローラーが落下して発炎し、シャッターの開口部に火炎が入り込むことを抑制できる。
【００１１】
本発明のシャッターでは、前記コントローラー受け部材は、前記コントローラーが取り付けられた取付本体部と、前記取付本体部から室外側に突出した受け片部とを有し、前記受け片部は、前記取付本体部に取り付けられた前記コントローラーよりも下方に配置されていることが好ましい。
このような構成によれば、コントローラーをシャッターケースに取り付ける取付部材とは別個にコントローラーの受け部材を設置する場合と比べ、コントローラー受け部材を設置するだけでよいので部品点数および施工工数を削減できる。
【００１２】
本発明のシャッターでは、前記受け片部は、前記取付本体部から室外側に向かうに連れて上方に傾斜していることが好ましい。
このような構成によれば、火災時の熱によってコントローラーが溶融して落下した場合には、受け片部が前述したように傾斜しているので、当該受け片部に受け止められたコントローラーが取付本体部側に寄せられる。これにより、コントローラーが受け片部の室外縁部側から落下するおそれを低減できる。
【００１３】
本発明のシャッターでは、前記ケース裏板の上縁部には室外側に突出した裏板上片部が形成され、前記裏板上片部には切欠き部が形成され、前記切欠き部には、前記コントローラーが配置されていることが好ましい。
このような構成によれば、コントローラーが収まりきらない程度にシャッターケースが小さく形成されている場合であっても、裏板上片部に形成された切欠き部にコントローラーを配置することで、当該裏板上片部が邪魔とならずにコントローラーを配置できる。
【００１４】
本発明のシャッターでは、前記シャッターケースには、前記切欠き部の前記シャッターケースの長手方向における一端側から他端側までにわたって配置された取付部材が取り付けられ、前記取付部材には、前記コントローラーが取り付けられていることが好ましい。
このような構成によれば、裏板上片部に切欠き部が形成されることで強度が低下したシャッターケースを前述した取付部材によって補強できる。
【発明の効果】
【００１５】
本発明によれば、コントローラーが塵埃や雨水にさらされにくくできるシャッターを提供することにある。
【図面の簡単な説明】
【００１６】
【図１】本実施形態に係るシャッターを示す斜視図。
【図２】前記実施形態に係るシャッターを分解して示す斜視図。
【図３】前記実施形態に係るシャッターを示す縦断面図。
【図４】前記実施形態に係るシャッターのシャッターケースおよびコントローラーを示す斜視図。
【図５】本発明の変形例に係るシャッターを示す縦断面図。
【図６】本発明の変形例に係るシャッターのシャッターケースおよびコントローラーを示す斜視図。
【発明を実施するための形態】
【００１７】
［本実施形態の構成］
以下、本発明の実施形態を図面に基づいて説明する。
図１〜３において、本実施形態に係るシャッター１は、建物躯体に取り付けられて当該建物の開口部を開閉可能に配置されるものである。シャッター１は、枠体１０と、枠体１０に取り付けられたシャッター装置２０とを備えている。本実施形態では、シャッター１は、枠体１０によって形成される開口部には、ガラスパネルがスライド開閉可能に配置された窓部３０が構成されている。
ここで、図１には、互いに直交するＸ、Ｙ、Ｚ軸方向を示しており、本実施形態では、Ｘ軸方向は後述する縦枠１１の見付け方向に沿っており、Ｙ軸方向は後述するシャッターケース２５の見付け方向に沿っており、Ｚ軸方向はシャッター１の見込み方向に沿っている。
【００１８】
枠体１０は、図２に示すように、左右の縦枠１１と、左右の縦枠１１に取り付けられた天板１２と、天板１２の室外端部に掛けられた点検板１３と、点検板１３の左右両端に配置された左右のサイドキャップ１４と、左右の縦枠１１に取り付けられて窓部３０の開口部を形成している上枠１５（まぐさ）および下枠１６とを備えている。左右の縦枠１１、天板１２、点検板１３、上枠１５および下枠１６は、アルミ押出形材によって形成されており、左右のサイドキャップ１４は樹脂製材料によって形成されている。
【００１９】
左右の縦枠１１は、縦枠本体１１１と、縦枠本体１１１の室外面に沿って配置されたガイドレール１１２とを備えている。ガイドレール１１２は、シャッターカーテン２１を上下方向に案内可能に当該シャッターカーテン２１の左右端部に嵌合している。
【００２０】
天板１２は、図３に示すように、室内側から室外側に向かって下方に傾斜した傾斜片部１２１と、傾斜片部１２１の長手方向に沿った室内縁部に連続した縦片部１２２とを有している。傾斜片部１２１の長手方向に沿った室外縁部には係合溝１２３が形成されている。
【００２１】
点検板１３の上縁部には、図３に示すように、天板１２の係合溝１２３に係合した係合片部１３１が形成されており、点検板１３の下縁部には、室内側に延出した下片部１３２が形成されている。この点検板１３は、図３に示す巻取状態のシャッター装置２０（座板２１２を除く）を室外側から覆って配置されている。
下片部１３２および上枠１５間には、シャッターカーテン２１が挿通した挿通口２が形成されている。
【００２２】
シャッター装置２０は、図２，３に示すように、シャッターカーテン２１と、シャッターカーテン２１を巻取りおよび繰出し可能なシャッター巻取軸２２と、シャッター巻取軸２２を駆動するモーターであるチューブラモーター（図示省略）と、チューブラモーターの駆動を制御するコントローラー２３と、シャッター巻取軸２２、チューブラモーターおよびコントローラー２３を収容して左右の縦枠１１に取り付けられたシャッターケース２５とを備えている。チューブラモーターは、シャッター巻取軸２２に内蔵されており、コントローラー２３の制御による駆動によってシャッター巻取軸２２を正転および逆転し、シャッターカーテン２１を巻取りおよび繰出し動作させるようになっている。
【００２３】
シャッターカーテン２１は、複数のスラット２１１を互いに回動自在に連結して構成されている。複数のスラット２１１のうち最上部のスラット２１１は、シャッター巻取軸２２に取り付けられており、その最下部のスラット２１１は座板２１２に取り付けられている。
【００２４】
コントローラー２３は、図４に示すように、電子部品が回路基板に配置されたコントローラー本体２３１と、コントローラー本体２３１を覆っている樹脂製のコントローラーカバー２３２と、コントローラーカバー２３２に配置された表示部２３３と、送信機からの操作信号を受信する受信部（図示省略）とを備えたコントローラーユニットによって構成されている。コントローラー本体２３１には、コネクタ、各種ケーブルを介して電源やチューブラモーターにつながっている。表示部２３３は、コントローラー本体２３１もしくはチューブラモーターの状態を表示するＬＥＤ表示部などによって構成されている。
【００２５】
コントローラーカバー２３２は、箱状のカバー本体部２３５と、カバー本体部２３５の室外側部分から左右方向に突出した取付片部２３６，２３７とを有している。カバー本体部２３５には、その室外側部分に開口が形成されており、この開口に表示部２３３が配置されている。取付片部２３６，２３７には、上下方向に沿って配置された二つの取付孔２３８がそれぞれ形成されている。
【００２６】
シャッターケース２５は、図４に示すように、ケース裏板２５１と、ケース裏板２５１の左右両縁部に固定された左右一対のケース側板２５２，２５３とを備えている。
【００２７】
ケース裏板２５１は、裏板本体片部２５４と、裏板本体片部２５４の上縁部から室外側に突出した裏板上片部２５５と、裏板本体片部２５４の下縁部から室外側に突出した裏板下片部２５６とを有している。裏板上片部２５５の一部は切り欠かれており、裏板本体片部２５４および裏板上片部２５５の切欠き縁部によって切欠き部２７が形成されている。
【００２８】
本実施形態では、裏板本体片部２５４には金属製の取付部材２８がビス止めされている。取付部材２８は、裏板本体片部２５４および裏板上片部２５５の切欠き縁部に沿って配置されており、シャッターケース２５の長手方向における切欠き部２７の一端側から他端側までにわたっている。取付部材２８の左右の室外端部には、上方に立ち上げられた取付部２８Ａが形成されており、これらの取付部２８Ａにコントローラー２３の取付片部２３６，２３７がビス止めされている。取付部材２８に取り付けられた状態のコントローラー２３は、切欠き部２７に配置されている。
【００２９】
ケース側板２５２は、側板本体部２５７と、側板本体部２５７からケース側板２５３側に折曲された取付部２５８Ａ、上側取付部２５８Ｂ、下側取付部２５８Ｃおよび後側取付部２５８Ｄとを有している。
側板本体部２５７は、シャッター巻取軸２２の一端を回転可能に支持可能な構成とされている。図３，４に示す三箇所の取付部２５８Ａのうち上側二つの取付部２５８Ａには、点検板１３およびサイドキャップ１４が着脱可能にビス止めされており、残りの下側一つの取付部２５８Ａには点検板１３が着脱可能にビス止めされている。上側取付部２５８Ｂは、裏板上片部２５５に固定されているとともに天板１２に取り付けられている。下側取付部２５８Ｃは、裏板下片部２５６に固定されているとともに縦枠１１に取り付けられている。後側取付部２５８Ｄは、裏板上片部２５５および裏板下片部２５６間においてケース裏板２５１に固定されている。
【００３０】
ケース側板２５３は、側板本体部２５９と、側板本体部２５９からケース側板２５２側に折曲された取付部２６０Ａ、上側取付部２６０Ｂ、下側取付部２６０Ｃおよび後側取付部２６０Ｄとを有している。
側板本体部２５９は、シャッター巻取軸２２の他端を回転可能に支持可能な構成とされている。前述した取付部２５８Ａと同様に、図４に示す三箇所の取付部２６０Ａのうち上側二つの取付部２６０Ａには、点検板１３およびサイドキャップ１４が着脱可能にビス止めされており、残りの下側一つの取付部２６０Ａには、点検板１３が着脱可能にビス止めされている。上側取付部２６０Ｂは、前述した上側取付部２５８Ｂと略同様に、裏板上片部２５５に固定されていると共に天板１２に取り付けられている。下側取付部２６０Ｃは、前述した下側取付部２５８Ｃと略同様に、裏板下片部２５６に固定されているとともに縦枠１１に取り付けられている。後側取付部２６０Ｄは、前述した後側取付部２５８Ｄと略同様に、裏板上片部２５５および裏板下片部２５６間においてケース裏板２５１に固定されている。
【００３１】
図３に示すように、シャッターケース２５は、上枠１５よりも上方に配置されており、挿通口２はシャッターケース２５の下部に位置している。
コントローラー２３は、シャッター巻取軸２２の軸心Ｃよりも上方側であって裏板本体片部２５４側に配置されている。なお、図３には、シャッターカーテン２１が巻取状態で最大径となった際の周面位置２１Ａが二点鎖線で示されており、コントローラー２３は、この周面位置２１Ａよりも外周側に配置されている。
【００３２】
表示部２３３は、天板１２およびシャッターカーテン２１の周面位置２１Ａ間から視認可能な位置に配置されている。本実施形態では、図３に示すように、天板１２の室外側最下端とシャッターカーテン２１の周面位置２１Ａの最上端との間の上下方向における寸法Ｗ１をもった隙間からシャッター１の見込み方向室内側の位置に表示部２３３が配置されている。このため、点検板１３を取り外した状態で室外側から表示部２３３を視認可能であり、コントローラー２３の作動状態を確認できる。
【００３３】
シャッター巻取軸２２の径方向における天板１２およびシャッターカーテン２１の周面位置２１Ａ間の最小寸法Ｗ２は、前記コントローラーの高さ寸法Ｈよりも大きく設定されている。本実施形態では、天板１２とシャッターカーテン２１の周面位置２１Ａとの間の上下方向における最小寸法が、高さ寸法Ｈよりも大きく設定されている。このため、点検板１３を取り外した状態で、コントローラー２３をドライバー等の工具によってケース裏板２５１から取り外してコントローラー２３を二点鎖線で図３に示す位置まで室外側に引き出すことができる。なお、コントローラー２３につながっているケーブル長さは、コントローラー２３を前述した通りに引き出せる程度の長さとされている。
【００３４】
［本実施形態の効果］
（１）前記実施形態では、シャッター１は、枠体１０と、枠体１０に取り付けられたシャッター装置２０とを備え、シャッター装置２０は、シャッターカーテン２１と、シャッターカーテン２１を巻取りおよび繰出し可能なシャッター巻取軸２２と、シャッター巻取軸２２を駆動するチューブラモーターと、チューブラモーターの駆動を制御するコントローラー２３と、枠体１０に取り付けられたシャッターケース２５とを備え、シャッターケース２５は、シャッター巻取軸２２を回転可能に支持する一対のケース側板２５２，２５３と、ケース側板２５２，２５３が固定されたケース裏板２５１とを備え、コントローラー２３は、シャッター巻取軸２２の軸心Ｃよりも上方側であってケース裏板２５１側に配置されていることを特徴とする。
上記構成を有するため、塵埃や雨水が入り込みやすい挿通口２よりも上方に離れた位置にコントローラー２３が配置されるので、コントローラー２３を塵埃や雨水にさらされにくい位置に配置できる。このため、コントローラー２３に防塵・防水に対して高い性能を必要としないコントローラー２３を採用し得る。
また、コントローラー２３がシャッター巻取軸２２の軸心Ｃよりもケース裏板２５１側に配置されているので、シャッター１が固定される建物躯体とシャッター巻取軸２２との間の空きスペースをコントローラー２３の設置箇所として有効活用できる。このため、コントローラー２３の設置箇所を形成するためにシャッターケース２５を大型化する必要がなく、既存のシャッターケースを用いてシャッター１を構成できる。
（２）コントローラー２３には、当該コントローラー２３もしくはチューブラモーターの状態を表示する表示部２３３が配置され、表示部２３３は、天板１２と巻取状態におけるシャッターカーテン２１の周面位置２１Ａとの間から視認可能な位置に配置されている。
このため、シャッターカーテン２１がシャッター巻取軸２２に巻き取られた状態で当該シャッターカーテン２１および天板１２間の間隔が小さくなっていても、シャッターカーテン２１、シャッター巻取軸２２や天板１２を取り外すことなく、点検板１３を取り外すだけで表示部２３３を室外側から視認でき、コントローラー２３やチューブラモーターの状態を確認できる。
（３）天板１２と巻取状態におけるシャッターカーテン２１の周面位置２１Ａとの間のシャッター巻取軸２２の径方向における最小寸法Ｗ２は、コントローラー２３の高さ寸法Ｈよりも大きい。
このため、シャッターカーテン２１、シャッター巻取軸２２や天板１２を取り外すことなく、コントローラー２３を天板１２とシャッターカーテン２１との間から抜き出すことができ、コントローラー２３のメンテナンスや交換作業を簡単に行うことができる。
（４）ケース裏板２５１の上縁部には室外側に突出した裏板上片部２５５が形成され、裏板上片部２５５には切欠き部２７が形成され、切欠き部２７には、コントローラー２３が配置されている。
このため、コントローラー２３が収まりきらない程度にシャッターケース２５が小さく形成されている場合であっても、裏板上片部２５５に形成された切欠き部２７にコントローラー２３を配置することで、当該裏板上片部２５５が邪魔とならずにコントローラー２３を配置できる。
（５）シャッターケース２５には、切欠き部２７のシャッターケース２５の長手方向における一端側から他端側までにわたって配置された取付部材２８が取り付けられ、取付部材２８には、コントローラー２３が取り付けられている。
このため、裏板上片部２５５に切欠き部２７が形成されることで強度が低下したシャッターケース２５を前述した取付部材２８によって補強できる。
【００３５】
［変形例］
本発明は、以上の実施形態で説明した構成のものに限定されず、本発明の目的を達成できる範囲での変形例は、本発明に含まれる。
例えば、前記実施形態では、コントローラー２３に表示部２３３が設けられているが、これに限られず。表示部２３３を視認する必要がない場合にはこの表示部２３３の構成を省略してもよい。
【００３６】
前記実施形態では、天板１２およびシャッターカーテン２１の周面位置２１Ａ間の最小寸法Ｗ２をコントローラー２３の高さ寸法Ｈよりも大きく設定したが、これに限られない。例えば、シャッター巻取軸２２などを取り外さずにコントローラー２３を室外側に引き出す必要がない場合には、最小寸法Ｗ２は高さ寸法Ｈ以下の寸法であってもよい。
【００３７】
前記実施形態では、ケース裏板２５１によって形成された切欠き部２７にコントローラー２３が配置され、このコントローラー２３が取付部材２８によってケース裏板２５１に取り付けられているが、これに限られない。例えば、コントローラー２３が裏板上片部２５５よりも下方に配置される場合には、裏板上片部２５５を切り欠いて切欠き部２７を形成しなくてもよく、また、取付部材２８を介さずにケース裏板２５１に直接にコントローラー２３を取り付けてもよい。
【００３８】
前記実施形態では、コントローラー２３をケース裏板２５１に取り付けた取付部材２８を備えているが、この取付部材２８に代えて、例えば図５に示すように、コントローラー受け部材２９を取付部材として備えていてもよい。コントローラー受け部材２９は、金属製であり、コントローラー２３がビス止めによって取り付けられた取付本体部２９１と、取付本体部２９１から室外側に突出した受け片部２９２とを有している。
取付本体部２９１は前述した取付部材２８と概略同形状に形成されている。受け片部２９２は、取付本体部２９１に取り付けられたコントローラー２３よりも下方に配置されており、取付本体部２９１から室外側に向かうに連れて上方に傾斜している。
【００３９】
前述したコントローラー受け部材２９を備える場合には、火災時に樹脂製部分であるコントローラーカバー２３２が溶融し、コントローラー２３が取付本体部２９１から外れて落下しても、当該コントローラー２３を受け片部２９２で受け止めることができる。このため、コントローラー２３がシャッター巻取軸２２よりも下方に位置する上枠１５まで落下するおそれをなくすことができ、上枠１５の近くで発炎して窓部３０の開口部から火炎が室内側へ入り込むことを抑制できる。
また、受け片部２９２が前述したように傾斜しているので、火災時の熱によってコントローラー２３が溶融して落下した場合には当該受け片部２９２に受け止められたコントローラー２３が取付本体部２９１側に寄せられることとなる。これにより、コントローラー２３が受け片部２９２の室外縁部側から落下するおそれを低減できる。
さらに、取付本体部２９１が前述した取付部材２８と概略同形状であるため、前述した取付部材２８を用意する必要がなくなり、取付部材２８とは別個にコントローラーの受け部材を設置する場合と比べ、コントローラー受け部材２９を設置するだけでよいので、部品点数および施工工数を削減できる。なお、取付本体部２９１によって切欠き部２７まわりの部分を補強できる。
【００４０】
前記実施形態では、切欠き部２７が図４に示すように裏板上片部２５５のうち右側に寄った位置に形成され、この切欠き部２７にコントローラー２３が配置されているが、これに限られない。例えば図６に示すように、切欠き部２７が裏板上片部２５５のうち左側に寄った位置に形成され、この切欠き部２７にコントローラー２３が配置されていてもよい。この場合、コントローラー２３はシャッターケース２５の見込み方向に沿った仮想軸のまわりで１８０度回転して配置してもよい。なお、このような配置状態で上下二つの取付孔２３８のうち上方に位置する取付孔２３８に取付用のビスが通される。
【符号の説明】
【００４１】
１…シャッター、１０…枠体、１１…縦枠、１１１…縦枠本体、１１２…ガイドレール、１２…天板、１２１…傾斜片部、１２２…縦片部、１２３…係合溝、１３…点検板、１３１…係合片部、１３２…下片部、１４…サイドキャップ、１５…上枠、１６…下枠、２…挿通口、２０…シャッター装置、２１…シャッターカーテン、２１１…スラット、２１２…座板、２１Ａ…周面位置、２２…シャッター巻取軸、２３…コントローラー、２３１…コントローラー本体、２３２…コントローラーカバー、２３３…表示部、２３５…カバー本体部、２３６，２３７…取付片部、２３８…取付孔、２５…シャッターケース、２５１…ケース裏板、２５２，２５３…ケース側板、２５４…裏板本体片部、２５５…裏板上片部、２５６…裏板下片部、２５７，２５９…側板本体部、２５８Ａ，２６０Ａ…取付部、２５８Ｂ，２６０Ｂ…上側取付部、２５８Ｃ，２６０Ｃ…下側取付部、２５８Ｄ，２６０Ｄ…後側取付部、２７…切欠き部、２８…取付部材、２８Ａ…取付部、２９…コントローラー受け部材、２９１…取付本体部、２９２…受け片部、３０…窓部、Ｃ…軸心、Ｈ…高さ寸法、Ｗ１…寸法、Ｗ２…最小寸法。
【図１】
2018138754.tif 000003
【図２】
2018138754.tif 000004
【図３】
2018138754.tif 000005
【図４】
2018138754.tif 000006
【図５】
2018138754.tif 000007
【図６】
2018138754.tif 000008